(57)【要約】【課題】携帯電話を手元に置かなくても当該携帯電話で受信されるデータを別の表示装置に表示でき、且つ、高速で安価にネットワークに接続できるようにする。【解決手段】  携帯電話２と情報処理装置１と表示装置６とを含むシステムにおいて、携帯電話２にＵＲＬ情報付きのメールデータが受信された場合にそのメールデータを無線通信により情報処理装置１へ転送し、携帯電話２から無線通信により転送されてくる前記メールデータを情報処理装置１において受信して当該メールデータを表示装置６に表示させ、表示装置６に表示されたメールデータの中のＵＲＬ情報に対する操作が行われた場合、そのＵＲＬ情報に基づき上記無線通信とは異なる無線通信ネットワーク８に接続されるサーバ装置１２へアクセスして取得される情報を表示装置６に表示させる。【選択図】      図１
2005135346.tif 000002
【特許請求の範囲】
【請求項１】
携帯電話と情報処理装置と表示装置とを含むシステムにおける情報処理方法であって、
前記携帯電話にＵＲＬ情報付きのメールデータが受信された場合にそのメールデータを無線通信により前記情報処理装置へ転送し、
前記携帯電話から前記無線通信により転送されてくる前記メールデータを前記情報処理装置において受信して当該メールデータを前記表示装置に表示させ、
前記表示装置に表示された前記メールデータの中のＵＲＬ情報に対する操作が行われた場合、そのＵＲＬ情報に基づき前記無線通信とは異なるネットワークに接続されるサーバ装置へアクセスして取得される情報を前記表示装置に表示させる、
ことを特徴とする情報処理方法。
【請求項２】
前記無線通信は、Bluetoothに準拠するものであることを特徴とする請求項１記載の情報処理方法。
【請求項３】
前記表示装置は、テレビ番組の映像を表示するテレビモニタであることを特徴とする請求項１記載の情報処理方法。
【請求項４】
前記メールデータを前記表示装置に表示させる際に、前記ＵＲＬ情報を指示するためのカーソルも表示させることを特徴とする請求項１記載の情報処理方法。
【請求項５】
携帯電話から無線通信によりＵＲＬ情報付きのメールデータを受信する手段と、
前記メールデータを表示装置に表示させる第１の制御手段と、
前記表示装置に表示された前記メールデータの中のＵＲＬ情報に対する操作が行われた場合、そのＵＲＬ情報に基づき前記無線通信とは異なるネットワークに接続されるサーバ装置へアクセスする手段と、
前記サーバ装置から取得される情報を前記表示装置に表示させる第２の制御手段と、
を具備することを特徴とする情報処理装置。
【請求項６】
前記無線通信は、Bluetoothに準拠するものであることを特徴とする請求項５記載の情報処理装置。
【請求項７】
前記表示装置は、テレビ番組の映像を表示するテレビモニタであることを特徴とする請求項５記載の情報処理装置。
【請求項８】
前記第１の制御手段は、前記メールデータを前記表示装置に表示させる際に、前記ＵＲＬ情報を指示するためのカーソルも表示させることを特徴とする請求項５記載の情報処理装置。
【請求項９】
ＵＲＬ情報付きのメールデータが受信された場合にそのメールデータを無線通信により所定の装置へ転送する携帯電話と、
前記携帯電話から前記無線通信により前記メールデータが転送されてきた場合、そのメールデータを受信して当該メールデータを表示装置に表示させる第１の制御手段と、前記表示装置に表示された前記メールデータの中のＵＲＬ情報に対する操作が行われた場合、そのＵＲＬ情報に基づき前記無線通信とは異なるネットワークに接続されるサーバ装置へアクセスして取得される情報を前記表示装置に表示させる第２の制御手段と有する情報処理装置と、
を具備することを特徴とする情報処理システム。
【請求項１０】
前記無線通信は、Bluetoothに準拠するものであることを特徴とする請求項９記載の情報処理システム。
【請求項１１】
前記表示装置は、テレビ番組の映像を表示するテレビモニタであることを特徴とする請求項９記載の情報処理システム。
【請求項１２】
前記第１の制御手段は、前記メールデータを前記表示装置に表示させる際に、前記ＵＲＬ情報を指示するためのカーソルも表示させることを特徴とする請求項９記載の情報処理システム。
【発明の詳細な説明】
【技術分野】
【０００１】
本発明は、携帯電話において着信されるメールを処理する情報処理方法、情報処理装置、及び情報処理システムに関する。
【背景技術】
【０００２】
近年の携帯電話に関する技術の進歩は著しく、メールの送受信やインターネット上のＷＷＷサーバへのアクセスなどを容易に行うことができるようになってきた。
【０００３】
また、携帯電話で受信されるデータを閲覧しやすくする技術も登場してきている。例えば、特許文献１によれば、携帯電話で受信したデータを別の表示装置に表示し、ネットワーク接続が必要な場合には、携帯電話網を介してネットワークへ接続することが開示されている。
【特許文献１】特開２００３−８７３６３号公報
【発明の開示】
【発明が解決しようとする課題】
【０００４】
上記文献の技術によれば、表示装置にデータを表示させるには携帯電話での操作が必要なので、いつも手元に携帯電話を置いておかなければならないという問題がある。また、携帯電話網を介したネットワーク接続では、通信速度が遅く、接続料金も高額となるなどの問題がある。
【０００５】
本発明は上記実情に鑑みてなされたものであり、携帯電話を手元に置かなくても当該携帯電話で受信されるデータを別の表示装置に表示させることができ、且つ、高速で安価にネットワークに接続することができる情報処理方法、情報処理装置、及び情報処理システムを提供することを目的とする。
【課題を解決するための手段】
【０００６】
本発明に係る情報処理方法は、携帯電話と情報処理装置と表示装置とを含むシステムにおける情報処理方法であって、前記携帯電話にＵＲＬ情報付きのメールデータが受信された場合にそのメールデータを無線通信により前記情報処理装置へ転送し、前記携帯電話から前記無線通信により転送されてくる前記メールデータを前記情報処理装置において受信して当該メールデータを前記表示装置に表示させ、前記表示装置に表示された前記メールデータの中のＵＲＬ情報に対する操作が行われた場合、そのＵＲＬ情報に基づき前記無線通信とは異なるネットワークに接続されるサーバ装置へアクセスして取得される情報を前記表示装置に表示させることを特徴とする。
【０００７】
また、本発明に係る情報処理装置は、携帯電話から無線通信によりＵＲＬ情報付きのメールデータを受信する手段と、前記メールデータを表示装置に表示させる第１の制御手段と、前記表示装置に表示された前記メールデータの中のＵＲＬ情報に対する操作が行われた場合、そのＵＲＬ情報に基づき前記無線通信とは異なるネットワークに接続されるサーバ装置へアクセスする手段と、前記サーバ装置から取得される情報を前記表示装置に表示させる第２の制御手段とを具備することを特徴とする。
【０００８】
また、本発明に係る情報処理システムは、ＵＲＬ情報付きのメールデータが受信された場合にそのメールデータを無線通信により所定の装置へ転送する携帯電話と、前記携帯電話から前記無線通信により前記メールデータが転送されてきた場合、そのメールデータを受信して当該メールデータを表示装置に表示させる第１の制御手段と、前記表示装置に表示された前記メールデータの中のＵＲＬ情報に対する操作が行われた場合、そのＵＲＬ情報に基づき前記無線通信とは異なるネットワークに接続されるサーバ装置へアクセスして取得される情報を前記表示装置に表示させる第２の制御手段と有する情報処理装置とを具備することを特徴とする。
【発明の効果】
【０００９】
携帯電話を手元に置かなくても当該携帯電話で受信されるデータを別の表示装置に表示させることができ、且つ、高速で安価にネットワークに接続することができる。
【発明を実施するための最良の形態】
【００１０】
以下、図面を参照して、本発明の実施形態を説明する。  
図１は、本発明に係る情報処理システムの構成を示す図である。  
同図に示される情報処理装置１は、無線通信データ処理部３、アンテナ４、表示出力部５、ネットワークインタフェース部７、ユーザインタフェース入力部９、及び制御部１１を備えている。また、表示装置６及びユーザインタフェース装置１０も情報処理装置１に備えられ、共に家の中のある部屋に配置される。
【００１１】
無線通信データ処理部３は、Bluetooth（ＴＭ）に準拠する近距離無線通信部に相当し、例えば携帯電話２との間でアンテナ４を介して無線通信を行うことが可能である。アンテナ４は、無線通信データ処理部３に接続され、電波の送受信を行うものである。
【００１２】
表示出力部５は、表示装置６に情報を表示出力するものである。表示装置６は、例えばテレビ番組の映像などを表示するテレビモニタ（テレビ受像器）であり、メールデータなどの文字情報やカーソルなどを表示することも可能である。
【００１３】
ネットワークインタフェース部７は、インターネットなどの外部ネットワーク８へ接続し、任意のＷＷＷ（World Wide Web）サーバ装置１２へアクセスすることが可能である。なお、この場合、ＡＤＳＬ（Asymmetric Digital Subscriber Line）などの低料金で高速アクセスが可能な通信媒体を通じてネットワークへ接続されるようになっている。
【００１４】
ユーザインタフェース入力部９は、ユーザインタフェース装置１０から送られてくる操作信号を受け付けるものである。ユーザインタフェース装置１０は、ユーザが入力操作を行う際に使用するリモコンなどに相当するものである。
【００１５】
制御部１１は、情報処理装置１全体の動作を司るものであり、無線通信データ処理部３、表示出力部５、ネットワークインタフェース部７、ユーザインタフェース入力部９などを制御することにより、携帯電話２との無線通信処理や、表示装置への情報表示処理、ＷＷＷサーバ１２へのアクセス処理などを実行する。具体的な処理については、後述する。
【００１６】
一方、携帯電話２は、携帯電話データ処理部２１、アンテナ２２、無線通信データ処理部２３、アンテナ２４、及び制御部２５を備えている。この携帯電話２は、いま上記情報処理装置１とは異なる部屋に置かれているものとする。但し、情報処理装置１との間で無線通信が届く範囲に置かれる。
【００１７】
携帯電話データ処理部２１は、アンテナ２２を介して基地局３１と無線通信することで携帯電話網と接続し、通話やメールの送受信を行うものである。アンテナ２２は、携帯電話データ処理部２１に接続され、電波の送受信を行うものである。
【００１８】
無線通信データ処理部２３は、Bluetoothに準拠する近距離無線通信部に相当し、例えば情報処理装置１との間でアンテナ２４を介して無線通信を行うことが可能である。アンテナ２４は、無線通信データ処理部２３に接続され、電波の送受信を行うものである。
【００１９】
制御部２５は、携帯電話２全体の動作を司るものであり、携帯電話データ処理部２１及び無線通信データ処理部２３などを制御することにより、携帯電話網との接続処理や情報処理装置１との無線通信処理などを実行する。例えば、制御部２５は、携帯電話網から携帯電話データ処理部２１によりメールデータが受信された場合、そのメールデータを無線通信データ処理部２３により情報処理装置１へ転送する。
【００２０】
図２は、図１中に示される制御部１１の構成を示す図である。  
制御部１１は、メールデータ受信／表示処理部（第１の制御部）１１Ａとネットワークアクセス／情報表示処理部（第２の制御部）１１Ｂとを含む。
【００２１】
メールデータ受信／表示処理部１１Ａは、携帯電話２から転送されてくるメールデータを無線通信データ処理部３を通じて受信し、当該メールデータを表示装置６に表示させるものである。
【００２２】
ネットワークアクセス／情報表示処理部１１Ｂは、表示装置６に表示された上記メールデータの中のＵＲＬ（Uniform Resource Locator）情報に対する操作が行われた場合、そのＵＲＬ情報に基づき外部ネットワーク８に接続されるＷＷＷサーバ装置１２へアクセスして取得される情報を表示装置６に表示させるものである。
【００２３】
ここで、図３を参照して、携帯電話２と携帯電話データ処理部２３との間の無線通信接続処理について説明する。  
携帯電話２と情報処理装置１とはBluetoothによる無線通信接続が可能であり、携帯電話２には、接続先である情報処理装置１の固有のアドレス（BD_ADDR）があらかじめ設定されている。携帯電話２は、アンテナ２２、携帯電話データ処理部２３を通じて、携帯電話基地局３１から、呼び出しを受け、メールを着信すると、情報処理装置１に対してBluetoothによる無線通信接続を開始する。
【００２４】
ステップＳ１において、携帯電話２は、無線通信データ処理部２３、アンテナ２４を介してLMP_host_connection_req信号を送信することにより、Bluetoothの接続要求を発行する。LMP_host_connection_req信号には、情報処理装置１のBD_ADDRの情報が含まれている。情報処理装置１は、アンテナ４、無線通信データ処理部３を介して携帯電話２からのLMP_host_connection_req信号を受信する。
【００２５】
ステップＳ２において、LMP_host_connection_req信号に含まれるBD_ADDRと一致するBD_ADDRを持つ情報処理装置１が、無線通信データ処理部３、アンテナ４を介してLMP_accepted信号を送信し、携帯電話２に対して応答を返す。携帯電話２は、アンテナ２４、無線通信データ処理部２３を介して情報処理装置１からのLMP_accepted信号を受信し、情報処理装置１が無線通信接続要求に対する応答を返してきたことを検知する。
【００２６】
ステップＳ３、ステップＳ４において、情報処理装置１、携帯電話２が互いに接続完了を示すLMP_setup_complete信号を発行して、Bluetoothによる無線通信接続が確立する。
【００２７】
この後、携帯電話２は、Bluetoothによる無線通信接続接続上で、着信したメールのデータを情報処理装置１へ送る。
【００２８】
次に、図４を参照して、携帯電話２側の動作を説明する。  
携帯電話２は、いま、受信待機状態にある（ステップＳ１１）。制御部２５は、携帯電話データ処理部２１を通じてメールデータが受信された場合（ステップＳ１２のＹｅｓ）、無線通信データ処理部２３を通じて、情報処理装置１との間で無線通信接続を確立し（ステップＳ１３）、情報処理装置１へメールデータを転送する（ステップＳ１４）。
【００２９】
制御部２５は、メールデータの転送が完了すると（ステップＳ１５のＹｅｓ）、情報処理装置１との間の無線通信接続を切断し（ステップＳ１６）、処理を終了する。
【００３０】
次に、図５及び図６を参照して、情報処理装置１側の動作を説明する。  
情報処理装置１は、いま、受信待機状態にある（ステップＳ２１）。制御部１１は、無線通信データ処理部３に対する無線通信接続要求を検出した場合（ステップＳ２２のＹｅｓ）、無線通信データ処理部３を通じて、情報処理装置１との間で無線通信接続を確立し（ステップＳ２３）、携帯電話２から転送されてくるメールデータを受信する（ステップＳ２４）。
【００３１】
制御部１１は、メールデータの転送が完了すると（ステップＳ２５のＹｅｓ）、携帯電話２との間の無線通信接続を切断し（ステップＳ２６）、受信したメールデータ及びカーソルを表示出力部５を通じて表示装置６に表示させる（ステップＳ２７）。
【００３２】
表示装置６にメールデータが表示されている状態で（ステップＳ２８）、例えば、ユーザが表示装置６に表示されているメールデータおよびその中に表示されているＵＲＬ情報を確認し、ユーザインタフェース装置１０を操作してカーソルをそのＵＲＬ情報の位置まで移動させて該ＵＲＬ情報に対する接続指示を行うと、操作信号がユーザインタフェース入力部９に入力され、該接続指示が受理される（ステップＳ２９のＹｅｓ）。
【００３３】
この場合、制御部１１は、指定されたＵＲＬ情報に基づき該当するＷＷＷサーバ装置１２へネットワークインタフェース部７を通じてアクセス要求し（ステップＳ３０）、当該ＵＲＬ情報に対応するホームページ等の情報を取得し、取得した情報を表示出力部５を通じて表示装置６に表示させる（ステップＳ３１）。
【００３４】
このように本実施形態によれば、例えば携帯電話２と表示装置６が別の部屋にあり、表示装置６をユーザが視聴中である場合、携帯電話２が手元になくても、携帯電話２が受信したメールデータを表示装置６に自動的に表示させることができる。また、メールデータに関連する情報を、携帯電話網を経由することなく、他の高速で安価な通信媒体を通じて取得して表示装置６に表示させることができる。
【００３５】
なお、上記実施形態では、情報処理装置１の外部に表示装置６があるものとして示したが、情報処理装置１と表示装置６とが分離している必要はなく、表示装置６が情報処理装置１の中に内蔵されていてもよい。逆に、情報処理装置１が表示装置６の中に内蔵されていてもよい。また、情報処理装置１、表示装置６、ユーザインタフェース装置１０、ネットワーク８の各間の接続形態は、有線・無線を問わない。
【００３６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】本発明に係る情報処理システムの構成を示す図。
【図２】図１中に示される制御部の構成を示す図。
【図３】携帯電話と携帯電話データ処理部との間の無線通信接続処理を説明するための図。
【図４】携帯電話側の動作を説明するためのフローチャート。
【図５】情報処理装置側の動作を説明するためのフローチャート（前半部）。
【図６】情報処理装置側の動作を説明するためのフローチャート（後半部）。
【符号の説明】
【００３８】
１…情報処理装置、２…携帯電話、３…無線通信データ処理部、４…アンテナ、５…表示出力部、６…表示装置、７…ネットワークインタフェース部、８…外部ネットワーク、９…ユーザインタフェース入力部、１０…ユーザインタフェース装置、１１…制御部、２１…携帯電話データ処理部、２２…アンテナ、２３…無線通信データ処理部、２４…アンテナ、２５…制御部、３１…基地局。
【図１】
2005135346.tif 000003
【図２】
2005135346.tif 000004
【図３】
2005135346.tif 000005
【図４】
2005135346.tif 000006
【図５】
2005135346.tif 000007
【図６】
2005135346.tif 000008